(57)【要約】  【課題】  筐体の前面に扉体を備え、扉体により操作ボタン、接続端子及びカードスロット等を隠す電気機器において、使用時に扉体を開けた状態で、接続端子及びカードスロット等が目立たず、これらにより美観が損なわれる虞のない電気機器を提供することにある。  【解決手段】  筐体に格納される扉体２を備え、扉体２を開いた場合に表出し、扉体２が閉じている状態では隠蔽される扉体２の周面に、カードスロット１０及び接続端子１５を設ける。扉体２を閉じた状態で使用する場合には、カードスロット１０及び接続端子１５が隠蔽されて外部に露出しない。扉体２を開いた場合には、カードスロット１０及び接続端子１５が扉体２の周面に設けてあるため、目立たず、美観を損なわない。【選択図】      図２
2006344335.tif 000002
【特許請求の範囲】
【請求項１】
筐体と、該筐体に格納された状態から出入して開閉するように、前記筐体に設けてある扉体と、外部機器を接続するための接続部とを備える電気機器において、
前記扉体が開扉された場合に表出する前記扉体の周面に、前記接続部が設けてあることを特徴とする電気機器。
【請求項２】
前記接続部は、カード型機器を装着するカードスロットを有する請求項１に記載の電気機器。
【請求項３】
前記扉体の周縁の側面に、凹部と、該凹部内に設けられ、カード型機器の装着を解除する操作部とを備える請求項２に記載の電気機器。
【請求項４】
前記接続部は、接続ケーブルを装着する接続端子を有する請求項１乃至請求項３のいずれか１つに記載の電気機器。
【請求項５】
前記接続端子に接続ケーブルが接続された場合に、前記扉体が閉扉することを防止する防止手段を備える請求項４に記載の電気機器。
【請求項６】
前記扉体は略長方形の板状をなし、一辺部分を軸に回動して開閉するようにしてあり、
前記防止手段は、
前記筐体に設けられた穴と、
前記扉体に設けられ、接続ケーブルの接続操作に伴って前記接続ケーブルの端部が当接するテーパ面を一端部に有し、前記接続ケーブルの端部及び前記テーパ面の当接により移動して前記扉体から前記穴へ向けて突出する突出棒と、
前記扉体からの突出を妨げる方向へ前記突出棒を付勢する付勢手段とを備える請求項５に記載の電気機器。
【発明の詳細な説明】
【技術分野】
【０００１】
本発明は、外部機器と接続するための接続端子及びカードスロット等を備える電気機器に関する。
【背景技術】
【０００２】
ビデオデッキ又はＤＶＤレコーダ等の電気機器は、着脱可能な記録媒体を装着するための出入口及び機器を操作するための操作ボタン等を、略長方形状の筐体の前面部分に備えている。また、外部のディスプレイ、音響装置又はビデオカメラ等と接続するための接続端子を備えており、常時接続を行うための接続端子は筐体の背面に、常時接続を行わない接続端子は筐体の前面に配されることが多い。
【０００３】
特許文献１においては、ビデオカセットを挿抜するカセット挿抜口に設けられたカセット扉をロックするロック機構を備えて、エジェクトスイッチを操作した場合にのみカセット扉が開く構成とすることで、エジェクトスイッチを操作しない場合には、カセット扉のロックが解除できず、幼児などが悪戯でビデオカセット又はそれ以外のものをカセット挿抜口から挿入することを防止できるビデオテープレコーダが提案されている。
【０００４】
また、近年では、筐体の前面に扉体を回動可能に枢設し、扉体を閉じた場合に、記録媒体の出入口、操作ボタン及び接続端子等の全てを扉体が覆って保護することができるものが実用化されている。この場合、扉体によって筐体の前面に配されたもの全てを保護することができ、また、非使用時にはこれらを覆い隠すことができるため、良好な美観を得ることができるという利点がある。
【特許文献１】特開２００３−５９２４８号公報
【発明の開示】
【発明が解決しようとする課題】
【０００５】
しかし、筐体の前面に配された記録媒体の出入口、操作ボタン及び接続端子等の全てを扉体により覆う場合、機器の使用時には扉体を開けなければならず、扉体を開けた状態では記録媒体の出入口、操作ボタン及び接続端子等が露出するため、特に接続端子の露出によって美観が損なわれるという問題がある。
【０００６】
また、近年においては、ＳＤカード若しくはメモリースティック等のメモリカード、又はディジタル放送を受信する場合に必要なＢ−ＣＡＳカード等を装着するためのカードスロットを備えた機器があり、この場合、カードスロットは筐体の前面に配されるため、より美観が損なわれるという問題があり、また、筐体の前面の接続端子又はカードスロット等を配設可能な領域には限りがあるため、筐体の前面にこれらを配すること自体が困難であるという問題がある。
【０００７】
本発明は、斯かる事情に鑑みてなされたものであって、その目的とするところは、筐体に格納される扉体を備え、扉体を開いた場合に表出し、扉体が格納されている状態では隠蔽される扉体の周面に、外部機器との接続を行う接続部を設けることで、接続部により美観が損なわれることがない電気機器を提供することにある。
【０００８】
また本発明の他の目的とするところは、カード型機器を装着するためのカードスロットを扉体の周面に設けることで、カードスロットが露出して美観が損なわれることがない電気機器を提供することにある。
【０００９】
また本発明の他の目的とするところは、扉体の周面に凹部を形成し、凹部内にカード型機器の装着を解除するための操作部、所謂エジェクトボタンを設けることで、エジェクトボタンが扉体の周面から突出せず、扉体を筐体に格納する場合の妨げとなることがない電気機器を提供することにある。
【００１０】
また本発明の他の目的とするところは、外部機器との接続を行うための接続ケーブルを接続する接続端子を扉体の周面に設けることで、接続端子が露出して美観が損なわれることがない電気機器を提供することにある。
【００１１】
また本発明の他の目的とするところは、接続端子に接続ケーブルが接続された状態で、扉体が閉じることを防止する手段を備えることで、接続ケーブルが接続端子から抜け落ちる、又は接続ケーブルが筐体及び扉体に挟まれて損なわれる等の虞がない電気機器を提供することにある。
【００１２】
また本発明の他の目的とするところは、長方形板状の扉体が回動して開閉するようにしてある場合に、接続端子に接続された接続ケーブルの端部が扉体に設けられた突出棒を突出させ、筐体に設けられた穴に突出棒が挿入される構成とすることで、扉体を回動不可能にし、扉体が閉じて接続ケーブルが接続端子から抜け落ちる、又は接続ケーブルが筐体及び扉体に挟まれて損なわれる等を防止することができる電気機器を提供することにある。
【課題を解決するための手段】
【００１３】
本発明に係る電気機器は、筐体と、該筐体に格納された状態から出入して開閉するように、前記筐体に設けてある扉体と、外部機器を接続するための接続部とを備える電気機器において、前記扉体が開扉された場合に表出する前記扉体の周面に、前記接続部が設けてあることを特徴とする。
【００１４】
本発明においては、筐体に格納される扉体を備え、扉体を開いた場合に表出し、扉体が格納されて閉じている状態では隠蔽される扉体の周面に、外部機器との接続を行うための接続部を設ける。外部機器を接続せず、扉体を閉じた状態で使用する場合には、接続部が隠蔽されて外部に露出しない。扉体を開いた場合には、接続部が扉体の周面に設けてあり目立たず、外部機器を接続しない場合であっても、美観を損なわない。
【００１５】
また、本発明に係る電気機器は、前記接続部が、カード型機器を装着するカードスロットを有することを特徴とする。
【００１６】
本発明においては、カード型機器を装着するためのカードスロットを扉体の周面に設ける。これにより、扉体を閉じた状態では、カードスロットが外部に露出せず、扉体を開いた状態でも、カードスロットが扉体の周面にあるため目立たない。
【００１７】
また、本発明に係る電気機器は、前記扉体の周縁の側面に、凹部と、該凹部内に設けられ、カード型機器の装着を解除する操作部とを備えることを特徴とする。
【００１８】
本発明においては、扉体の周面に凹部を形成し、凹部内にカード型機器の装着を解除するためのエジェクトボタンを設ける。これにより、エジェクトボタンが扉体の周面から突出せず、扉体を筐体に格納する場合にエジェクトボタンが妨げにならない。
【００１９】
また、本発明に係る電気機器は、前記接続部が、接続ケーブルを装着する接続端子を有することを特徴とする。
【００２０】
本発明においては、外部機器との接続を行うための接続ケーブルを接続する接続端子を扉体の周面に設ける。これにより、扉体を閉じた状態では、接続端子が外部に露出せず、扉体を開いた状態でも、接続端子が扉体の周面にあるため目立たない。
【００２１】
また、本発明に係る電気機器は、前記接続端子に接続ケーブルが接続された場合に、前記扉体が閉扉することを防止する防止手段を備えることを特徴とする。
【００２２】
本発明においては、接続端子に接続ケーブルが接続された状態で、扉体が閉じることを防止する手段を備え、接続ケーブルが接続端子から抜け落ちる、又は接続ケーブルが筐体及び扉体に挟まれて損なわれることを防止する。
【００２３】
また、本発明に係る電気機器は、前記扉体が略長方形の板状をなし、一辺部分を軸に回動して開閉するようにしてあり、前記防止手段は、前記筐体に設けられた穴と、前記扉体に設けられ、接続ケーブルの接続操作に伴って前記接続ケーブルの端部が当接するテーパ面を一端部に有し、前記接続ケーブルの端部及び前記テーパ面の当接により移動して前記扉体から前記穴へ向けて突出する突出棒と、前記扉体からの突出を妨げる方向へ前記突出棒を付勢する付勢手段とを備えることを特徴とする。
【００２４】
本発明においては、長方形板状の扉体が回動して開閉するようにしてある場合に、接続端子に接続された接続ケーブルの端部が扉体に設けられた突出棒を突出させ、筐体に設けられた穴に突出棒が挿入される構成とする。この構成により、接続ケーブルを接続した場合に扉体を回動不可能にし、扉体が閉じて接続ケーブルが接続端子から抜け落ちる、又は接続ケーブルが筐体及び扉体に挟まれて損なわれることを防止する。
【発明の効果】
【００２５】
本発明による場合は、筐体に格納される扉体を備え、扉体を開いた場合に表出し、扉体が格納されている状態では隠蔽される扉体の周面に、外部機器との接続を行う接続部を設けることで、扉体を閉じた状態では、接続部が外部に露出せず、扉体を開いた場合でも、接続部が扉体の周面にあり、目立たないため、接続部により美観が損なわれることがない。また、筐体の前面部に接続部を配設する必要がないため、限りある筐体の前面部の配設可能領域に別のものを配すことができる、又は、機器を小型化できる。
【００２６】
また、本発明による場合は、カード型機器を装着するためのカードスロットを扉体の周面に設けることで、扉体を閉じた状態では、カードスロットが外部に露出せず、扉体を開いた状態でも、カードスロットが扉体の周面にあり、目立たないため、カードスロットによって美観が損なわれることがない。
【００２７】
また、本発明による場合は、扉体の周面に凹部を形成し、凹部内にカード型機器の装着を解除するためのエジェクトボタンを設けることで、エジェクトボタンが扉体の周面から突出せず、扉体を筐体に格納する場合の妨げとなることがないため、装着の解除にエジェクトボタンが必要なカードスロットを扉体の周面に配することができ、カードスロットによって美観が損なわれることがない。
【００２８】
また、本発明による場合は、外部機器との接続を行うための接続ケーブルを接続する接続端子を扉体の周面に設けることで、扉体を閉じた状態では、接続端子が外部に露出せず、扉体を開いた状態でも、接続端子が扉体の周面にあり、目立たないため、接続端子によって美観が損なわれることがない。
【００２９】
また、本発明による場合は、接続端子に接続ケーブルが接続された状態で、扉体が閉じることを防止する手段を備えることで、使用者の誤操作によって扉体が閉じられ、接続ケーブルが接続端子から抜け落ちる、又は接続ケーブルが筐体及び扉体に挟まれて損なわれる等を防止することができる。
【００３０】
また、本発明による場合は、長方形板状の扉体が回動して開閉するようにしてある場合に、接続端子に接続された接続ケーブルの端部が扉体に設けられた突出棒を突出させ、筐体に設けられた穴に突出棒が挿入される構成とすることで、扉体を回動不可能にし、使用者の誤操作により、扉体が閉じて接続ケーブルが接続端子から抜け落ちる、又は接続ケーブルが筐体及び扉体に挟まれて損なわれる等を防止することができる。
【発明を実施するための最良の形態】
【００３１】
以下、本発明をその実施の形態を示す図面に基づき具体的に説明する。
（実施の形態１）
図１は、本発明の実施の形態１に係るハードディスク一体型ＢＤ／ＤＶＤレコーダの構成を示す斜視図であり、ハードディスク一体型ＢＤ／ＤＶＤレコーダは内部にハードディスクを搭載し、Ｂｌｕ−ｒａｙ  Ｄｉｓｃ及びＤＶＤの再生及び録画等を行うことができるものである。図１において（ａ）は扉体を閉じた状態を示しており、（ｂ）は扉体を開いた状態を示している。
【００３２】
図１において１は筐体であり、筐体１は扁平な直方体状をなしており、広い面を上下にして載置されて使用される。筐体１の正面は略長方形であり、ＤＶＤを装着するためのＤＶＤドライブ５及びＢｌｕ−ｒａｙ  Ｄｉｓｃを装着するためのＢＤドライブ６が筐体１の正面部分の長手方向に並べて設けてあり、また、ＤＶＤドライブ５及びＢＤドライブ６の間にはＤＶＤドライブ５を開閉するための開閉ボタン７及びＢＤドライブ６を開閉するための開閉ボタン８が設けてある。
【００３３】
筐体１の正面の左右の端部には、筐体１と略同高の側壁１ａ、１ａが筐体１の正面から略垂直に突設してある。側壁１ａ、１ａの外側の両側面は筐体１の両側面と連続な平面をなす。側壁１ａ、１ａの間には、長方形板状の扉体２が、下辺部分を軸に、筐体１の正面の上方向に回動して閉じ、下方向に回動して開くように枢設してある。扉体２の側辺の長さは筐体１の正面の高さと略同一であり、長辺の長さは側壁１ａ、１ａの間の距離と略同一であり、厚さは側壁１ａ、１ａの突出距離と略同一である。扉体２を閉じた状態では、短辺側の側面が側壁１ａ、１ａの内側の側面に覆われて外部に露出しないようにしてある。また、扉体２を閉じた状態では、扉体２がＤＶＤドライブ５、ＢＤドライブ６、開閉ボタン７及び開閉ボタン８を覆い隠し、扉体２の表面が使用者に対面するようにしてある。扉体２の表面には、液晶ディスプレイ３が設けられており、ハードディスク一体型ＢＤ／ＤＶＤレコーダの動作状況を使用者に知らせることができる。
【００３４】
扉体２の裏面には、ハードディスク、ＤＶＤ及びＢｌｕ−ｒａｙ  Ｄｉｓｃの再生又は録画等を行うための操作部４が設けられており、扉体２を開いた状態で操作を行えるようにしてある。なお、扉体２を閉じた状態では、図示しないリモートコントローラを用いて操作を行えるようにしてある。
【００３５】
図２は、本発明の実施の形態１に係るハードディスク一体型ＢＤ／ＤＶＤレコーダの扉体の構成を示す拡大図である。本図は扉体２の短辺側の両側面を拡大したものであり、右側面を（ａ）に図示し、左側面を（ｂ）に図示している。
【００３６】
扉体２の右側面には、ＳＤメモリカード、メモリースティック、ＰＣカード、ＣＦカード又はＢ−ＣＡＳカード等のカード型機器を挿入して装着するためのカードスロット１０が設けてある。また、カードスロット１０と並べて、扉体２の側面にはテーパ状に形成された凹部１１が設けてあり、カードスロット１０に装着されたカード型機器の装着を解除するためのエジェクトボタン１２が凹部１１内に設けてある。エジェクトボタン１２は棒状をなし、カードスロット１０にカード型機器が装着されていない場合は凹部１１の底部に形成された穴の中に没入しており、カードスロット１０にカード型機器を装着した場合に穴から突出する。このときに、エジェクトボタン１２の先端部分が扉体２の側面より外側には突出せず、凹部１１内に収まるようにしてある。エジェクトボタン１２を凹部１１の奥方へ押し込むことで、カードスロット１０に装着されたカード型機器の装着が解除され、カード型機器がカードスロット１０から排出される。
【００３７】
扉体２の左側面には、ｉ．ＬＩＮＫ端子又はＳ端子等の外部機器を接続するための接続端子１５が設けてある。接続端子１５は、外部機器に接続された接続ケーブルの端部を挿入するための穴部１５ａ及び穴部１５ａ内に設けられ、接続ケーブルと電気的に接続する端子部１５ｂを備えている。また、扉体２の両側面には、枢軸２ａ、２ａが突設してあり、枢軸２ａ、２ａが筐体１の側壁１ａ、１ａによって支持され、扉体２が回動して開閉するようにしてある。枢軸２ａ、２ａは円筒状であり、筒内には図示しない複数の配線が通され、複数の配線により筐体１及び扉体２それぞれに備えられた電気回路が接続される。これにより、扉体２の操作部４、液晶ディスプレイ３、カードスロット１０及び接続端子１５に電力が供給され、筐体１内の回路と信号を送受できるようにしてある。
【００３８】
扉体２を閉じた場合には、扉体の側面に設けられたカードスロット１０及び接続端子１５は、筐体１の側壁１ａ、１ａに覆い隠されるため、外部に露出しない。このため、扉体２の側面に設けられた接続端子１５に接続ケーブルを接続した状態で扉体２を閉じようとした場合には、接続ケーブルが側壁１ａ、１ａに当たるため、扉体２を閉じることができず、また、接続ケーブル及び接続端子１５が損なわれる虞がある。本発明に係るハードディスク一体型ＢＤ／ＤＶＤレコーダでは、接続ケーブル及び接続端子１５が損なわれることを防止するために、接続端子１５に接続ケーブルが接続された場合には、扉体２を回動不可能にロックするロック機構を備えている。
【００３９】
図３は、本発明の実施の形態１に係るハードディスク一体型ＢＤ／ＤＶＤレコーダの正面図であり、扉体２のない状態を図示してある。図４は、本発明の実施の形態１に係るハードディスク一体型ＢＤ／ＤＶＤレコーダのロック機構の構成を示す模式的断面図であり、扉体２の断面を部分的に図示してある。図５は、本発明に係るハードディスク一体型ＢＤ／ＤＶＤレコーダのロック機構に用いられるロック棒の構成を示す斜視図である。
【００４０】
ハードディスク一体型ＢＤ／ＤＶＤレコーダのロック機構は、筐体１の正面の下部に設けられたロック穴２０と、扉体２に設けられ、扉体２の側面から突出してロック穴２０に挿入されるロック棒２１とを備えている。ロック棒２１は四角柱状の棒であり、一端部分にはテーパ面２１ａが設けてあり、一側面には長手方向と平行に円柱棒状のバネ装着部２１ｂが連結部２１ｃを介して固定してある。
【００４１】
扉体２には、接続端子１５の穴部１５ａと略直交するように、ロック棒２１を収容するための空間であるロック棒収容部２ｂが形成してある。ロック棒収容部２ｂは、穴部１５ａの内周面の一面に連通しており、ロック棒２１をロック棒収容部２ｂに収容した場合に、ロック棒２１のテーパ面２１ａが穴部１５ａ内に突出するようにしてある。また、ロック棒収容部２ｂは、扉体２の側面に形成された開口２ｃから外部に連通しており、開口２ｃ及び筐体１のロック穴２０は扉体２を開いた場合に対向するようにそれぞれ位置決めされている。
【００４２】
ロック棒２１のテーパ面２１ａが設けられた側と反対側の端部は、開口２ｃから突出可能にしてあり、開口２ｃからロック棒２１の端部が突出している場合には、テーパ面２１ａは接続端子１５の穴部１５ａ内に突出せず、テーパ面２１ａが穴部１５ａ内に突出している場合には、開口２ｃからロック棒２１の端部が突出しないよう、ロック棒２１はロック棒収容部２ｂ内で移動可能にしてある。また、ロック棒２１のバネ装着部２１ｂにはバネ２２が装着され、ロック棒２１のテーパ面２１ａが穴部１５ａ内に突出し、開口２ｃからロック棒の端部が突出しないように、バネ２２はロック棒２１を付勢している。
【００４３】
接続端子１５の穴部１５ａに接続ケーブル１００の先端部分を挿入した場合には、接続ケーブル１００の先端部分がロック棒２１のテーパ面２１ａに当接し、挿入に伴ってロック棒２１をバネ２２の付勢に抗して移動させる。これにより、開口２ｃからロック棒２１の端部が突出して、筐体１のロック穴２０へ挿入され、扉体２が回動不可能に固定される。接続ケーブルを接続端子１５の穴部１５ａから抜脱した場合には、バネ２２の付勢により、開口２ｃから突出したロック棒２１の端部がロック棒収容部２ｂ内に収容され、ロック棒２１のテーパ面２１ａが接続端子１５の穴部１５ａ内に突出する。
【００４４】
以上の構成のハードディスク一体型ＢＤ／ＤＶＤレコーダにおいては、カードスロット１０及び接続端子１５が扉体２の短辺側の両側面に設けられているため、扉体２を閉じた状態では、筐体１の側壁１ａ、１ａに覆い隠されて外部に露出せず、扉体２を開いた状態でも、使用者から見えにくい位置にあるため、カードスロット１０及び接続端子１５によって美観が損なわれることがない。また、接続端子１５に接続ケーブル１００が接続された状態では、ロック機構により扉体２が回動不可能に固定され、閉じることができないため、誤操作によって接続端子１５及び接続ケーブル１００が損なわれることがない。
【００４５】
なお、本実施の形態においては、カードスロット１０に装着されたカード型機器の装着を解除するためのエジェクトボタン１２を備える構成としたが、例えば、ＳＤカードのようにプッシュイン／プッシュアウトにより装着／装着解除を行うカードスロットの場合には、エジェクトボタン１２を備えなくてもよい。また、ロック機構のロック棒２１及びロック棒収容部２ｂ等の形状は一例であって、これに限るものではない。また、カードスロット１０に同様のロック機構を備える構成であってもよい。また、電気機器としてハードディスク一体型ＢＤ／ＤＶＤレコーダを例に説明を行ったが、これに限るものではなく、他の電気機器に同様の構成を適用することができる。
【００４６】
（実施の形態２）
実施の形態２に係るハードディスク一体型ＢＤ／ＤＶＤレコーダは、電気的な手段により扉体２を回動不可能にロックする。図６は、本発明の実施の形態２に係るハードディスク一体型ＢＤ／ＤＶＤレコーダの構成を示す模式図である。
【００４７】
扉体２には、ソレノイド３１及びソレノイド３１に連結され、扉体２の側面の開口２ｃから突出して筐体１のロック穴２０へ挿入されるロック棒３０が設けてある。また、接続端子１５に接続ケーブル１００が接続されているか否かを制御部３２が検知するようにしてあり、制御部３２は、検知結果に応じてソレノイド３１を動作させ、ロック棒３０を開口２ｃから突出させる。
【００４８】
図７は、本発明の実施の形態２に係るハードディスク一体型ＢＤ／ＤＶＤレコーダの制御部３２が行う処理手順を示すフローチャートである。なお、図７には、接続端子１５に接続ケーブル１００が接続されていない状態からの手順を示してある。
【００４９】
制御部３２は、接続端子１５に接続ケーブル１００が接続されているか否かを調べ（ステップＳ１）、接続ケーブル１００が接続されていない場合は（Ｓ１：ＮＯ）、接続ケーブル１００が接続されるまで待機する。接続端子１５に接続ケーブル１００が接続された場合（Ｓ１：ＹＥＳ）、ソレノイド３１を動作させてロック棒３０を扉体２の側面の開口２ｃから突出させ（ステップＳ２）、扉体２を回動不可能にロックする。
【００５０】
続いて、接続端子１５に接続ケーブル１００が接続されているか否かを調べ（ステップＳ３）、接続ケーブル１００が接続されている場合は（Ｓ３：ＹＥＳ）、接続ケーブルの接続が解除されるまで、ロック棒３０を突出させた状態で待機する。接続端子１５に接続ケーブル１００が接続されていない場合（Ｓ３：ＮＯ）、ロック棒３０を扉体２の中に収容し（ステップＳ４）、扉体２のロックを解除する。
【００５１】
以上の構成のハードディスク一体型ＢＤ／ＤＶＤレコーダにおいては、扉体２のロックをソレノイド３１を利用して行うため、強固に、且つ確実に、扉体２を回動不可能にロックすることができる。なお、実施の形態２においては、ロック棒３０及びソレノイド３１を扉体２に設け、ロック穴２０を筐体１に設ける構成を示したが、ロック穴２０を扉体２に設け、ロック棒３０及びソレノイド３１を筐体１に設ける構成としてもよい。また、扉体２の開閉をモータを用いて電動で行う場合には、ロック棒３０及びロック穴２０を用いずに、接続端子１５に接続ケーブル１００が接続されたことを検知した場合に、モータを回転しないように制御することで、扉体２が閉じることをロックする構成とすることもできる。
【００５２】
実施の形態２に係るハードディスク一体型ＢＤ／ＤＶＤレコーダのその他の構成は、実施の形態１に係るハードディスク一体型ＢＤ／ＤＶＤレコーダの構成と同様であるため、同様の箇所には同じ符号を付して詳細な説明を省略する。
【００５３】
（実施の形態３）
図８は、本発明の実施の形態３に係るハードディスク一体型ＢＤ／ＤＶＤレコーダの構成を示す拡大斜視図である。本図は筐体の正面に設けられた扉体及び扉体の近傍を拡大して図示したものであり、（ａ）は扉体を閉じた状態を示し、（ｂ）は扉体を開いた状態を示す。
【００５４】
筐体１の正面には長方形状の開口を有する収納穴５０が設けてあり、収納穴５０内には三角柱状の扉体５１が収納してある。扉体５１は断面が略二等辺直角三角形の三角柱状であり、断面の二等辺に対応する二つの矩形状の面は、収納穴５０の開口と略同じ大きさにしてあり、他の一面はハードディスク一体型ＢＤ／ＤＶＤレコーダを操作するための操作部５３を設けた操作面５１ａにしてある。扉体５１は、断面の二等辺に対応する二つの面が共有する一辺を収納穴５０の開口の下辺に合わせて配されており、この一辺を軸に回動して開閉し、扉体５１が開いた状態では操作面５１ａが外部に露出し、閉じた状態では操作面５１ａは収納穴５０内に収納され、断面の二等辺に対応する二つの面の一方が収納穴５０の開口を閉塞するようにしてある。
【００５５】
扉体５１を開いて操作面５１ａを露出させた場合には、扉体５１の二等辺三角形状の二つの側面が収納穴５０から表出する。二つの側面のうちの一方には、ｉ．ＬＩＮＫ端子又はＳ端子等の外部機器を接続するための接続端子５２が設けてある。接続端子５２に接続ケーブルを接続し、接続ケーブルを介して外部機器と接続することができる。
【００５６】
以上の構成のハードディスク一体型ＢＤ／ＤＶＤレコーダにおいては、接続端子５２が扉体５１の側面に設けられているため、扉体５１を閉じた状態では、収納穴５０内に扉体５１の側面が収納され、接続端子５２が外部に露出せず、また、扉体５１を開いた状態でも、使用者から見えにくい位置に接続端子５２が設けられているため、接続端子５２によって美観が損なわれることがない。
【００５７】
なお、実施の形態３においては、扉体５１の側面に接続端子５２を設ける構成を示したが、これに限らず、カード型機器を装着するためのカードスロットを設ける構成としてもよく、接続端子５２及びカードスロットを扉体５１の両側面にそれぞれ設ける構成としてもよい。
【００５８】
実施の形態３に係るハードディスク一体型ＢＤ／ＤＶＤレコーダのその他の構成は、実施の形態１に係るハードディスク一体型ＢＤ／ＤＶＤレコーダの構成と同様であるため、同様の箇所には同じ符号を付して詳細な説明を省略する。
【００５９】
（実施の形態４）
図９は、本発明の実施の形態４に係るハードディスク一体型ＢＤ／ＤＶＤレコーダの構成を示す拡大斜視図である。本図は筐体の正面に設けられた扉体及び扉体の近傍を拡大して図示したものであり、（ａ）は扉体を閉じた状態を示し、（ｂ）は扉体を開いた状態を示す。
【００６０】
筐体１の正面には長方形状の開口を有する収納穴７０が設けてあり、収納穴７０内には直方体状の扉体７１が収納してある。扉体７１は、筐体１の正面から垂直方向にスライドさせて、収納穴７０から出し入れして開閉することが可能にしてある。また、扉体７１が開いた状態で露出する扉体７１の上面は、ハードディスク一体型ＢＤ／ＤＶＤレコーダを操作するための操作部７３が設けられた操作面７１ａにしてあり、扉体７１を閉じた状態では、扉体７１の側面の一面のみが露出し、操作面７１ａを含む他の五面は収納穴７０内に収納されるようにしてある。
【００６１】
扉体７１を開いた場合に表出する扉体７１の側面の一方には、ｉ．ＬＩＮＫ端子又はＳ端子等の外部機器を接続するための接続端子７２が設けてある。接続端子７２に接続ケーブルを接続し、接続ケーブルを介して外部機器と接続することができる。
【００６２】
以上の構成のハードディスク一体型ＢＤ／ＤＶＤレコーダにおいては、接続端子７２が扉体７１の側面に設けられているため、扉体７１を閉じた状態では、収納穴７０内に扉体７１の側面が収納され、接続端子７２が外部に露出せず、また、扉体７１を開いた状態でも、使用者から見えにくい位置に接続端子７２が設けられているため、接続端子７２によって美観が損なわれることがない。
【００６３】
なお、実施の形態４においては、扉体７１の側面に接続端子７２を設ける構成を示したが、これに限らず、カード型機器を装着するためのカードスロットを設ける構成としてもよく、接続端子７２及びカードスロットを扉体７１の両側面にそれぞれ設ける構成としてもよい。
【００６４】
実施の形態４に係るハードディスク一体型ＢＤ／ＤＶＤレコーダのその他の構成は、実施の形態１に係るハードディスク一体型ＢＤ／ＤＶＤレコーダの構成と同様であるため、同様の箇所には同じ符号を付して詳細な説明を省略する。
【図面の簡単な説明】
【００６５】
【図１】本発明の実施の形態１に係るハードディスク一体型ＢＤ／ＤＶＤレコーダの構成を示す斜視図である。
【図２】本発明の実施の形態１に係るハードディスク一体型ＢＤ／ＤＶＤレコーダの扉体の構成を示す拡大図である。
【図３】本発明の実施の形態１に係るハードディスク一体型ＢＤ／ＤＶＤレコーダの正面図である。
【図４】本発明の実施の形態１に係るハードディスク一体型ＢＤ／ＤＶＤレコーダのロック機構の構成を示す模式的断面図である。
【図５】本発明に係るハードディスク一体型ＢＤ／ＤＶＤレコーダのロック機構に用いられるロック棒の構成を示す斜視図である。
【図６】本発明の実施の形態２に係るハードディスク一体型ＢＤ／ＤＶＤレコーダの構成を示す模式図である。
【図７】本発明の実施の形態２に係るハードディスク一体型ＢＤ／ＤＶＤレコーダの制御部３２が行う処理手順を示すフローチャートである。
【図８】本発明の実施の形態３に係るハードディスク一体型ＢＤ／ＤＶＤレコーダの構成を示す拡大斜視図である。
【図９】本発明の実施の形態４に係るハードディスク一体型ＢＤ／ＤＶＤレコーダの構成を示す拡大斜視図である。
【符号の説明】
【００６６】
１  筐体
２  扉体
１０  カードスロット
１１  凹部
１２  エジェクトボタン
１５  接続端子
２０  ロック穴
２１  ロック棒
２１ａ  テーパ面
２１ｂ  バネ装着部
２２  バネ
３０  ロック棒
３１  ソレノイド
３２  制御部
５１  扉体
５２  接続端子
７１  扉体
７２  接続端子
【図１】
2006344335.tif 000003
【図２】
2006344335.tif 000004
【図３】
2006344335.tif 000005
【図４】
2006344335.tif 000006
【図５】
2006344335.tif 000007
【図６】
2006344335.tif 000008
【図７】
2006344335.tif 000009
【図８】
2006344335.tif 000010
【図９】
2006344335.tif 000011